(57)【要約】      （修正有）【課題】被検査物が遮蔽ノレンを押し上げた状態でも、Ｘ線が外部に漏れない新たな構造の遮蔽ノレンと、その遮蔽ノレンを搭載したＸ線検査装置とを提供する。【解決手段】Ｘ線検査室の出入口をＸ線遮蔽部材６５により遮蔽する遮蔽ノレンであって、Ｘ線検査室の出入口を塞ぐ第１遮蔽部材６１と、第１遮蔽部材６１より内側に位置する第２遮蔽部材６２とを備える。また、第１遮蔽部材６１には、被検査物を通過させるだけの大きさの開口部６４が形成され、その開口部６４を内側から塞ぐ第２遮蔽部材６２を遥動自在に設けて、被検査物が第２遮蔽部材６２を押し上げても、開口部６４からは、Ｘ線が漏れないようにする。【選択図】図３
0003190710.tif 000002
【実用新案登録請求の範囲】
【請求項１】
Ｘ線検査室の出入口をＸ線遮蔽部材により遮蔽するものであって、前記Ｘ線検査室の出
入口を塞ぐ第１遮蔽部材と、第１遮蔽部材より内側に位置する第２遮蔽部材とを備え、前
記第１遮蔽部材には、被検査物を通過させる大きさの開口部が形成され、前記第２遮蔽部
材は、前記開口部を塞ぐ大きさに形成されて、回転軸から遥動自在に吊り下げられている
ことを特徴とする遮蔽ノレン。
【請求項２】
前記第１遮蔽部材に形成された開口部と前記第２遮蔽部材との間をトンネル状の遮蔽部
材で連通したことを特徴とする請求項１に記載の遮蔽ノレン。
【請求項３】
前記遮蔽ノレンを被検査物の搬送方向に沿って複数配置するとともに、各遮蔽ノレンの
それぞれの前記第１遮蔽部材間をトンネル状の遮蔽部材で連通したことを特徴とする請求
項１又は２に記載の遮蔽ノレン。
【請求項４】
被検査物をＸ線検査室内に搬入・搬出する搬送手段と、前記搬送手段で搬送される被検
査物にＸ線を照射するＸ線源と、被検査物を透過したＸ線を検出するラインセンサと、ラ
インセンサで検出された透過Ｘ線画像に基づいて被検査物を検査するＸ線検査装置であっ
て、前記Ｘ線源から前記ラインセンサに至るＸ線照射領域を間に挟んで、前記検査室内の
入口側と出口側のそれぞれに、被検査物の搬送方向に沿って、請求項１又は２に記載の前
記遮蔽ノレンを複数配置し、それらの各遮蔽ノレンの前記第１遮蔽部材間をトンネル状の
遮蔽部材で連通したことを特徴とするＸ線検査装置。
【考案の詳細な説明】
【技術分野】
【０００１】
本考案は、被検査物にＸ線を照射して被検査物の品質を検査するＸ線検査装置に関し、
特に被検査物が搬入・搬出される検査室の出入口におけるＸ線漏洩防止構造に関する。
【背景技術】
【０００２】
この種のＸ線検査装置では、検査室の出入口からのＸ線の漏洩を防止するために、検査
室の出入口にＸ線遮蔽部材が設けられる。この遮蔽部材の形態としては、出入口に吊るし
た遮蔽ノレン（特許文献１参照）と、検査室に入る手前と、検査室を出た直後にトンネル
式の防護カバー（特許文献２参照）を設けて、検査室から漏れる散乱Ｘ線を防護カバーで
遮蔽するものとがある。
【０００３】
後者の防護カバーは、検査室の入口側と出口側にそれぞれ設けられるため、装置全体が
長くなる欠点がある。これに対し、前者の遮蔽ノレンは、検査室の出入口や検査室内に設
けられるため、装置全体がコンパクトになるメリットがある。
【先行技術文献】
【特許文献】
【０００４】
【特許文献１】特開平１１−１６０４８７号公報
【特許文献２】特開２００２−８２０７０号公報
【考案の概要】
【考案が解決しようとする課題】
【０００５】
ところが、これまでの遮蔽ノレンは、短冊状の遮蔽部材を水平方向に複数枚並べて吊り
下げたものであるから、被検査物によって一部の遮蔽ノレンが押し上げられると、押し上
げられた遮蔽ノレンと押し上げられていない遮蔽ノレンとの間が開放されるため、そこか
らＸ線が漏洩する危険性があった。
【０００６】
また、遮蔽ノレンは、出入口の全幅に亘って吊り下げられるため、そこから検査室内に
手を入れることもでき、安全上好ましくないという問題もあった。
【０００７】
本考案は、こうした問題を解決するために、被検査物が遮蔽ノレンを押し上げた状態で
も、Ｘ線が外部に漏れない新たな構造の遮蔽ノレンと、その遮蔽ノレンを搭載したＸ線検
査装置とを提供することを課題とする。
【課題を解決するための手段】
【０００８】
上記課題を解決するために、本考案の遮蔽ノレンは、Ｘ線検査室の出入口をＸ線遮蔽部
材により遮蔽するものであって、前記Ｘ線検査室の出入口を塞ぐ第１遮蔽部材と、第１遮
蔽部材より内側に位置する第２遮蔽部材とを備え、前記第１遮蔽部材には、被検査物を通
過させる大きさの開口部が形成され、前記第２遮蔽部材は、前記開口部を塞ぐ大きさに形
成されて、回転軸から遥動自在に吊り下げられていることを特徴とする。
【０００９】
ここで、内側とは、Ｘ線検査室内を意味する。そして、Ｘ線検査室（以下、検査室と称
する。）の出入口は、被検査物を通過させる大きさの開口部を残して第１遮蔽部材によっ
て遮蔽されている。また、その開口部の内側には、その開口部を塞ぐ第２遮蔽部材が遥動
自在に吊り下げられているから、被検査物が第２遮蔽部材を押し上げない限り、その開口
部から検査室内の散乱Ｘ線が漏洩することはない。
【００１０】
そして、被検査物が開口部から進入してきて、第２遮蔽部材を押し上げると、検査室内
と外部とは開口部を介して連通するが、その開口部に被検査物が進入している間は、被検
査物自体が検査室内の散乱Ｘ線を減衰させるから、開口部から散乱Ｘ線が漏れる虞は殆ど
ない。
【００１１】
また、被検査物が開口部を通過してしまうと、押し上げられた第２遮蔽部材が閉じるま
での僅かな間は、開口部が一時的に開放されるから、そこから散乱Ｘ線が漏洩する虞があ
る。そこで、本考案では、第１遮蔽部材に形成された開口部と第２遮蔽部材との間をトン
ネル状の遮蔽部材で連通したことを特徴とする。
【００１２】
被検査物が開口部を通過してしまうと、押し上げられた第２遮蔽部材が閉じるまでの僅
かな間は、開口部が一時的に開放されるが、第２遮蔽部材と開口部との間には、トンネル
状の遮蔽部材が設けられているから、トンネル内が外部と連通していても、また、開口部
と被検査物との間にかなりの隙間があっても、検査室内の散乱Ｘ線は、トンネル内で減衰
するから、開口部から散乱Ｘ線が漏洩する虞はなくなる。
【００１３】
さらに、本考案では、前記遮蔽ノレンを被検査物の搬送方向に沿って複数配置するとと
もに、各遮蔽ノレンのそれぞれの第１遮蔽部材間をトンネル状の遮蔽部材で連通したこと
を特徴とする。
【００１４】
出入口側の遮蔽ノレンが開放されてトンネル内が外部と連通しても、それと連なった内
側の遮蔽ノレンが閉鎖されていれば、検査室内の散乱Ｘ線は、トンネル状の遮蔽部材内を
通って外部に漏洩することはない。同様に、内側の遮蔽ノレンが開放されていても、出入
口側の遮蔽ノレンが閉鎖されていれば、そこから散乱Ｘ線が漏洩することはない。したが
って、前後に連なった複数の第２遮蔽部材が同時に開放されないように、被検査物同士の
間隔を適宜に保ちながら検査室内に順次搬入するようにすれば、検査室の出入口からの散
乱Ｘ線の漏洩を皆無にすることができる。
【００１５】
また、本考案のＸ線検査装置は、被検査物をＸ線検査室内に搬入搬出する搬送手段と、
前記搬送手段で搬送される被検査物にＸ線を照射するＸ線源と、被検査物を透過したＸ線
を検出するラインセンサと、ラインセンサで検出された透過Ｘ線画像に基づいて被検査物
を検査するＸ線検査装置であって、前記Ｘ線源から前記ラインセンサに至るＸ線照射領域
を間に挟んで、前記検査室内の入口側と出口側のそれぞれに被検査物の搬送方向に沿って
前記遮蔽ノレンを複数配置し、それらの各遮蔽ノレンの前記第１遮蔽部材間をトンネル状
の遮蔽部材で連通したことを特徴とする。
これにより、第２遮蔽部材が開放状態になっても、そこからのＸ線漏洩を皆無にするこ
とができる。また、検査室の出入口は、被検査物を通すことのできる小さな開口部を残し
て塞がれるから、そこから検査室内に手を入れる危険性を無くすことができる。
【考案の効果】
【００１６】
本考案の遮蔽ノレンによれば、Ｘ線検査室の出入口を塞いだ第１遮蔽部材に被検査物が
通過する大きさの開口部を設け、その開口部の内側に、遥動自在に吊り下げられた第２遮
蔽部材を設けたので、被検査物によって第２遮蔽部材が押し上げられても、開口部は、被
検査物を通過させるだけの大きさしか開いていないから、そこからのＸ線の漏洩を、これ
まで以上に減らすことができる。
【００１７】
また、第１遮蔽部材に形成された開口部と第２遮蔽部材との間をトンネル状の遮蔽部材
で連通したから、押し上げられた第２遮蔽部材が開放されて、検査室内が外部と連通して
も、検査室内の散乱Ｘ線は、トンネル内で減衰するから、出入口の開口部からのＸ線漏洩
を更に低減することができる。
【００１８】
さらに、前記遮蔽ノレンを被検査物の搬送方向に沿って複数配置するとともに、各遮蔽
ノレンのそれぞれの第１遮蔽部材間をトンネル状の遮蔽部材で連通したから、出入口側の
遮蔽ノレンが開放されていても、それと連通する内側の遮蔽ノレンによって散乱Ｘ線を遮
蔽するから、さらに完璧な漏洩防止構造とすることができる。
【００１９】
このように、検査室内にトンネル状の遮蔽部材と遮蔽ノレンを多重に設けてＸ線の漏洩
を防止するようにしたから、第２遮蔽部材６２をさらに薄くしても、Ｘ線の漏洩を防ぐこ
とができる。したがって、これまでは遮蔽ノレンが使えなかったような軽い被検査物Ａで
も、本考案の遮蔽ノレンを使用することができるメリットがある。
【００２０】
加えて、本考案の遮蔽ノレンを利用したＸ線検査装置によれば、検査室の出入口を、被
検査物を通過させる大きさの開口部を残して第１遮蔽部材で覆ったから、そこから手を差
し入れることが難しくなり、従来装置と比べても、より安全性の高いＸ線検査装置とする
ことができる。
【図面の簡単な説明】
【００２１】
【図１】本考案の一実施形態に係るＸ線検査装置の外観斜視図
【図２】本考案の一実施形態に係る遮蔽ノレンの構成を示す図
【図３】前記遮蔽ノレンの取り付け構造を示す部分外観斜視図
【図４】第２遮蔽部材の取り付け構造を示す部分外観斜視図
【考案を実施するための形態】
【００２２】
以下、本考案の一実施形態を図面に基づいて説明する。
図１は、本考案のＸ線検査装置の外観斜視図を示す。この図において、Ｘ線検査装置１
は、入口２と出口３を有する検査室４と、入口２から出口３に亘って設けられた搬送手段
５と、入口２と出口３からのＸ線の漏洩を防止する遮蔽ノレン６と、搬送手段５の中央部
上方に設けられたＸ線源７と、搬送手段５の上下のベルト間に設けられて、被検査物（図
２を参照）を透過したＸ線を検出するラインセンサ８と、これらを収納した筐体９と、そ
の筐体９の上部前面に設けられた操作用のタッチパネル１０と、前記筐体９を支持する４
本の支持脚１１とを備えている。
【００２３】
前記筐体９は、当然のことながら、検査室４の入口２と出口３とを除いて、外部にＸ線
が漏洩しない構造となっている。また、Ｘ線源７から照射されたＸ線は、図２のコリメー
タ７１を介して扇状ビームに絞られ、それがラインセンサ８に照射されて画像信号に変換
される。変換された画像信号は、内蔵のコンピュータに入力されて透過Ｘ線画像に成形さ
れ、それに基づいて種々の検査が行われるようになっている。こうした構成は、周知なも
のであるから、遮蔽ノレン６を除く各部の詳細な説明は、ここでは省略する。
【００２４】
図２は、検査室４内に配列される遮蔽ノレン６の構成を示し、図３は、その遮蔽ノレン
６の部分外観斜視図を示し、図４は、第２遮蔽部材６２の部分外観斜視図を示す。これら
の図において、遮蔽ノレン６は、コリメータ７１から照射されるＸ線の照射領域Ｒを挟ん
で、入口側２の遮蔽ノレン６ａと出口側３の遮蔽ノレン６ｂとに分離されている。
【００２５】
入口側２の遮蔽ノレン６ａは、入口２を内部から塞ぐ外側遮蔽板６０と、その内側で検
査室４内を区画する左右の第１遮蔽部材６１、６１と、それらの間に配置された第２遮蔽
部材６２〜６２と、Ｘ線照射領域Ｒを隔壁する内側遮蔽板６３と、その内側遮蔽板６３と
それと近接する第１遮蔽部材６１との間に設けられた第２遮蔽部材６２とを備えている。
【００２６】
一方、出口側３の遮蔽ノレン６ｂは、出口３を内側から塞ぐ外側遮蔽板６０と、その内
側で検査室４内を区画する左右の第１遮蔽部材６１、６１と、それらの間に配置された第
２遮蔽部材６２〜６２と、Ｘ線照射領域Ｒを隔壁する内側遮蔽板６３と、その内側遮蔽板
６３と、それと近接する第１遮蔽部材６１との間に設けられた第２遮蔽部材６２とを備え
ている。そして、左右の内側遮蔽板６３、６３でＸ線照射領域Ｒを挟み込むことにより、
散乱Ｘ線を閉じ込めている。
【００２７】
これらの遮蔽部材６１〜６２や遮蔽板６０、６３は、Ｘ線を遮蔽する鉛板やタングステ
ン板、ステンレス板等で構成することができ、それらの下部には、被検査物Ａを通過させ
るだけの大きさの開口部６４（図３参照）が形成されている。また、各開口部６４には、
ステンレス材等で形成されたトンネル状の遮蔽部材６５が嵌めこまれ、その遮蔽部材６５
で被検査物Ａを入口２から出口３まで案内する搬送路が形成されている。
【００２８】
出入口２，３の外側遮蔽板６０，６０は、出入口２、３を内側から塞ぐことのできる大
きさに形成され、第１遮蔽部材６１〜６１は、検査室４内を左右に区画する大きさに形成
されている。また、各第１遮蔽部材６１〜６１の上部２箇所には、フック６６〜６６が形
成され、それらのフック６６〜６６が検査室４内に設けられた水平軸４１〜４１に引っ掛
けられて、遮蔽ノレン６ａ、６ｂ全体が搬送手段５から若干浮くようになっている。
【００２９】
図１の検査室４の前面側には、下向きに開放可能な開閉扉４０が設けられ、その開閉扉
４０を手前に倒して開放し、遮蔽ノレン６のフック６６〜６６を水平軸４１〜４１から外
せば、遮蔽ノレン６を検査室４から取り出すことができるようになっている。また、逆の
手順でフック６６〜６６を水平軸４１〜４１に引っ掛ければ、遮蔽ノレン６を検査室４内
に装着できるようになっている。
【００３０】
トンネル状の遮蔽部材６５は、底面が開放されたコの字型に形成され、その端部は、外
側遮蔽板６０と内側遮蔽板６３のそれぞれの開口部６４と連結されている。また、遮蔽部
材６５の前後両側面には、図４に示すように、ブラケット６７、６７が取り付けられ、そ
れらのブラケット６７、６７間に水平方向に伸びる回転軸６８が取り付けられ、その回転
軸６８に第２遮蔽部材６２が固定されて、搬送中の被検査物Ａが第２遮蔽部材６２に当た
ると、それが回転軸６８を中心として押し上げられるようになっている。そのため、トン
ネル状の遮蔽部材６５の上面には、押し上げられた第２遮蔽部材６２を逃がすための開口
部６９が形成されている。
【００３１】
また、前後のブラケット６７、６７間には、規制板６７ａが掛け渡され、押し上げられ
た第２遮蔽部材６２が回転軸６８を中心として揺れて戻るときに、その規制板６７ａが第
２遮蔽部材６２の上端部６２ａの回動を規制するようになっている。これにより、第２遮
蔽部材６２が被検査物Ａの搬送方向Ｆとは逆方向へ揺れる際に、それが被検査物Ａに当た
ってその搬送ピッチを乱すのを防止している。
【００３２】
第２遮蔽部材６２は、一枚のステンレス板で形成され、その横幅は、トンネル状遮蔽部
材６５の内側の横幅よりも若干小さめに形成されている。また、第２遮蔽部材６２の高さ
は、トンネル状の遮蔽部材６５の高さよりも高く形成され、その遮蔽部材６５から上方に
飛び出た上端部６２ａは、遮蔽部材６５より上方に設けられた回転軸６８に取り付けられ
て、その回転軸６８を中心として、第２遮蔽部材６２が遮蔽部材６５内で遥動するように
なっている。
【００３３】
トンネル状の遮蔽部材６５によって形成された開口部６４は、そこを通過する被検査物
Ａとの間に僅かな隙間が形成される形状が好ましいが、その隙間が十分大きくても、トン
ネル状の遮蔽部材６５が検査室４内の散乱Ｘ線を減衰させるから、トンネル状の遮蔽部材
６５は、被検査物Ａを余裕を残して通過させる形状に形成しておけば良い。
【００３４】
また、被検査物Ａを開口部６４に進入させるために、上流側の搬送ベルト５０ａ上に、
被検査物Ａを開口部６４まで案内するガイドを設けておくのが良い。また、この実施形態
では、入口２側と出口３側にそれぞれ遮蔽ノレン６ａ、６ｂを設けているが、この左右の
遮蔽ノレン６ａ、６ｂを一体化したり、これらを必要に応じて、さらに分割したりしても
良い。
【００３５】
搬送手段５は、入口２側のプーリ５１と、出口３側のプーリ５２と、テンションローラ
５３と、アイドラローラ５４と、それらの間を走行するエンドレス状のベルト５５と、出
口側のプーリ５２を回転させる図示しないモータとで構成されている。
【００３６】
そして、使用に際しては、Ｘ線検査装置１を駆動させてＸ線を照射させるが、その状態
では、検査室４の出入口２，３は、外側遮蔽板６０、６０と第１遮蔽部材６１〜６１とに
よって多重に遮蔽され、さらに、検査室４と連通する開口部６４は、複数の第２遮蔽部材
６２と、それを取り囲むトンネル状の遮蔽部材６５とによって遮蔽されているから、開口
部６４からＸ線が外部に漏洩することはない。
【００３７】
その状態で上流側と下流側の各搬送ベルト５０ａ、５０ｂを駆動させて、被検査物Ａを
開口部６４へ搬入すると、被検査部Ａは、遮蔽ノレン６ａの第２遮蔽部材６２を押し上げ
ながら検査室４内に進入する。しかし、被検査物Ａの前方は、トンネル状遮蔽部材６５と
さらに下流の複数の第２遮蔽部材６２、６２とで閉鎖されているから、開放された開口部
６４からＸ線が漏れることはない。
【００３８】
そして、被検査物Ａが最初の第２遮蔽部材６２を通過すると、被検査物ＡがＸ線照射領
域Ｒに到達する前に、最初の第２遮蔽部材６２が閉じるから、検査室４内のＸ線が外部に
漏洩することはない。さらに、被検査物ＡがＸ線照射領域Ｒに侵入しても、その照射領域
Ｒの上流側と下流側が左右の内側遮蔽板６３、６３で挟み込まれているから、散乱Ｘ線が
出入口２、３に到達する心配はない。また、Ｘ線照射領域Ｒと連なる各開口部６４は、ト
ンネル状の遮蔽部材６５で連通され、しかも、複数の第２遮蔽部材６２〜６２によって幾
重にも遮断されているから、出入口２、３の開口部６４からＸ線が漏洩することもない。
【００３９】
以上、本考案の一実施形態について説明したが、本考案は、これに限定されるものでは
なく、その他の態様も採用可能である。例えば、被検査物Ａが軽量物である場合は、第２
遮蔽部材６２の回転軸６８より上部にバランスウエイトを取り付けて、僅かな力でも第２
遮蔽部材６２が跳ね上がるようにしてもよい。また、第２遮蔽部材６２をタングステン板
や、鉛ゴム等で形成してもよいし、さらに、短冊状に形成した複数枚の遮蔽板を横に並べ
たものでも良い。
【符号の説明】
【００４０】
１    X線検査装置
２    入口
３    出口
４    Ｘ線検査室（検査室）
５    搬送手段
６    遮蔽ノレン
７    Ｘ線源
８    ラインセンサ
９    筐体
１０    タッチパネル
１１    支持脚
６１    第１遮蔽部材
６２    第２遮蔽部材
６４    開口部
６５    トンネル状の遮蔽部材  
Ａ    被検査物
Ｆ    搬送方向
Ｒ    Ｘ線照射領域
【図１】
0003190710.tif 000003
【図２】
0003190710.tif 000004
【図３】
0003190710.tif 000005
【図４】
0003190710.tif 000006